(57)【要約】【課題】バックライトの時分割方式の立体映像表示システムにおいて、表示装置の姿勢によって、表示映像の視差情報と、実際に立体視するための視差情報の整合性が取れなくなり、好適な立体映像の視認が困難になる。【解決手段】第１の視差を有した第１の映像が表示されている時は、第１の発光素子が点灯し、第２の視差を有した第２の映像が表示されている時は、第２の発光素子が点灯する立体表示システムにおいて、装置本体に対する表示部の姿勢に応じて、第１の視差を有した第１の映像が表示されている時は、第２の発光素子が点灯し、第２の視差を有した第２の映像が表示されている時は、第１の発光素子が点灯するように切替えることを特徴とする構成とした。【選択図】図１
2016018171.tif 000002
【特許請求の範囲】
【請求項１】
装置本体と、
第１の視差を有した第１の映像と第２の視差を有した第２の映像とを時分割的に交互に表示する表示手段と、
前記表示手段の法線から所定の方向側へ第１の所定の角度傾いた第１の方向に出射光強度のピークが存在する第１の発光素子の点灯による第１の照明光と、前記表示手段の法線から前記所定の方向側とは異なる側へ第２の所定の角度傾いた第２の方向に出射光強度のピークが存在する第２の発光素子の点灯による第２の照明光とを、前記交互に表示される第１の視差を有した第１の映像と第２の視差を有した第２の映像との表示切替えタイミングに同期させて時分割的に交互に前記表示手段に向けて出射する面光源と、
前記装置本体に対する前記表示手段の姿勢を判断する表示部姿勢判断手段と、
前記第１の発光素子と前記第２の発光素子を点灯させる発光素子点灯手段と、
前記第１の発光素子と前記第２の発光素子の点灯を切替える点灯切替手段を備え、
前記第１の視差を有した第１の映像が表示されている時は、前記第１の発光素子が点灯し、前記第２の視差を有した第２の映像が表示されている時は、前記第２の発光素子が点灯する立体表示システムにおいて、
前記表示部姿勢判断手段により、判断された姿勢に応じて、前記点灯切替手段によって、前記第１の視差を有した第１の映像が表示されている時は、前記第２の発光素子が点灯し、前記第２の視差を有した第２の映像が表示されている時は、前記第１の発光素子が点灯するように切替えることを特徴とする立体映像表示システム。
【請求項２】
前記表示部姿勢判断手段は、前記表示手段の開閉状態を検出する開閉検出手段と、前記表示手段の回転状態を検出する回転検出手段であって、
前記開閉手段により、前記表示手段が開状態かつ、前記回転検出手段により、前記表示手段が回転状態であること、または、前記開閉手段により、前記表示手段が閉状態かつ、前記回転検出手段により、前記表示手段が回転状態であることを検出すると、
前記点灯切替手段によって、前記第１の視差を有した第１の映像が表示されている時は、前記第２の発光素子が点灯し、前記第２の視差を有した第２の映像が表示されている時は、前記第１の発光素子が点灯するように切替えることを特徴とする請求項１に記載の立体映像表示システム。
【請求項３】
前記表示部姿勢判断手段は、前記表示手段の開閉状態を検出する開閉検出手段と、前記表示手段の回転状態を検出する回転検出手段であって、
前記表示手段に鏡像映像を表示するミラーモードと、ミラーモードを選択するミラーモード選択手段を備え、
前記ミラーモード選択手段により、ミラーモードでないことが選択されることかつ、前記開閉手段により、前記表示手段が開状態かつ、前記回転検出手段により、前記表示手段が回転状態であること、または、前記開閉手段により、前記表示手段が閉状態かつ、前記回転検出手段により、前記表示手段が回転状態であることを検出すると、
前記点灯切替手段によって前記第１の視差を有した第１の映像が表示されている時は、前記第２の発光素子が点灯し、前記第２の視差を有した第２の映像が表示されている時は、前記第１の発光素子が点灯するように切替えることを特徴とする請求項１に記載の立体映像表示システム。
【発明の詳細な説明】
【技術分野】
【０００１】
本発明は、立体映像の表示手段を有した立体映像表示システムに関するものである。
【背景技術】
【０００２】
近年の立体映像の視認環境の普及に伴い、好適な立体映像の撮像装置が要求されている。人間は、右目において視認される像と、左目において視認される像とを脳が合成することによって、視認される物体を立体像として認識している。つまり、右目と左目とが異なる角度からその物体を視認することによる、右目において視認される像と、左目において視認される像との相違によって実現されている。
【０００３】
このため、立体映像の撮像装置は、一般的に左右の視差に応じた映像情報を各々記録する必要がある。また、立体映像を視認するためには、記録された左右の視差に応じた映像情報を、左右の目に対して各々独立して伝達する必要がある。
【０００４】
このため、右目用の視差を有した右目用映像、左目用の視差を有した左目用映像から、立体映像を視認する手段として以下に示す様々な液晶表示装置が提案されている。
【０００５】
立体映像を表示する液晶表示装置としては、従来、液晶表示パネルの１列置きの画素に左目用映像を、他の１列置きの画素に右目用映像を表示し、その左目用映像と右目用映像とを、液晶表示パネルの一方の行の画素からの出射光と他方の行の画素からの出射光とを表示観察者の左目方向と右目方向とに振り分けるレンチキュラーレンズ方式、あるいは液晶表示パネルの画素行と平行な複数の透過部と遮光部が交互に並べてストライプ状に形成されたパララックスバリアを介して観察者の左目と右目とに観察させるようにしたパララックスバリア方式がある。
【０００６】
しかしながら、従来の立体映像を表示する液晶表示装置は、液晶表示パネルの１列置きの画素により左目用映像を表示し、他の１列置きの画素により右目用映像を表示するため、両方の映像の解像度が低い。
【０００７】
そこで、解像度の高い立体映像を表示するために、特許文献１が開示されている。これは、右目用映像と左目用映像の表示切替えタイミングに同期して、時分割的に交互にバックライトの光を右目方向と左目方向とに振り分ける、バックライトの時分割方式の立体映像表示装置である。図１０は、ＬＣＤパネルと、ＬＣＤバックライトの側面図である。ＬＣＤパネルのバックライトの発光素子は、右目用（第１のＬＥＤ）と左目用（第２のＬＥＤ）とが設けられ、それらは対向するように配置され、さらに、導光板の上面には指向性シートが配置されている。
【０００８】
この指向性シートは、右目用発光素子（第１のＬＥＤ）が点灯すると出射光強度のピークが右目方向に傾いた指向性を持ち（図１０の実線矢印）、左目用発光素子（第２のＬＥＤ）が点灯すると出射光強度のピークが左目方向に傾いた指向性を持っている（図１０の点線矢印）。ＬＣＤパネルに右目用映像と左目用映像を交互に表示させ（例えば１／６０秒毎）、右目用映像が表示されている時は、右目用発光素子（第１のＬＥＤ）が点灯し、左目用映像が表示されている時は、左目用発光素子（第２のＬＥＤ）が点灯することで、右目用映像と左目用映像を時間差をもって交互に右目と左目に振り分け、表示観察者に立体映像を観察させるようにしている。図１１は、バックライトの時分割方式の発光素子の点灯と偶数フィールド時の右目用映像を表す図である。
【０００９】
ここで、点線が立体映像時に表示されている映像を表しており、実線が右目用映像であり被写体の右側面が表示される。右目用映像が表示されている時は、第１のＬＥＤが点灯し、第２のＬＥＤはオフされている。図１２は、バックライトの時分割方式の発光素子の点灯と奇数フィールド時の左目用映像を表す図である。ここで、点線が立体映像時に表示されている映像を表しており、実線が左目用映像であり被写体の左側面が表示される。左目用映像が表示されている時は、第１のＬＥＤがオフし、第２のＬＥＤは点灯している。
【００１０】
図１３は、バックライトの時分割方式のバックライトの発光素子（ＬＥＤ）の点灯タイミングと映像表示を表した図である。ここで、１フレーム目の偶数フィールドの映像は右目用であり、奇数フィールドの映像は左目用である。数字の右上に“ダッシュ（’）”が記載されているものが左目用の映像である。偶数フィールド時には、映像は右目用が表示され、第１のＬＥＤが点灯し、奇数フィールド時には、映像は左目用が表示され、第２のＬＥＤが点灯している。
【先行技術文献】
【特許文献】
【００１１】
【特許文献１】特許第04433724号明細書
【発明の概要】
【発明が解決しようとする課題】
【００１２】
しかしながら、上述の特許文献１に開示された従来技術では、ＬＣＤパネルの姿勢を変えることができる装置では、立体表示できないＬＣＤパネルの姿勢が生じる。例えば、ＬＣＤパネルを装置本体に対して、開閉可能かつ回転可能な撮像装置の場合である。図２及び図３は、撮像装置の外観斜視図である。ビデオカメラ本体２０１には撮影中の映像や再生した映像を表示するためのＬＣＤパネル１０９が設けられており、このＬＣＤパネル１０９はヒンジ部３０３によって、矢印Ａ方向に開閉自在及び矢印Ｂ方向に回転自在に配されている。
【００１３】
ＬＣＤパネル１０９は、撮影者側に向いた通常撮影状態と、被写体側つまりレンズ２０２と同方向を向いた対面撮影状態とに回転自在となっている。以下、図３の状態を正転状態、正転状態から矢印Ａ方向にＬＣＤパネル１０９を閉じた状態を正転収納状態、図３の状態から矢印Ｂ方向で、レンズ２０２と同方向にＬＣＤパネル１０９を回転した状態を対面状態、対面状態から矢印Ａ方向にＬＣＤパネル１０９を閉じた状態を反転収納状態、また、対面状態において鏡像表示をする場合をミラーモードと言い、その状態を対面ミラー状態と言うこととする。
【００１４】
図１１及び図１２は、正転状態の時の映像と第１のＬＥＤと第２のＬＥＤの点灯関係を表す図であり、[背景技術]で記載したように立体表示可能である。
【００１５】
図１４は、対面状態と反転収納状態のバックライトの時分割方式の発光素子の点灯と偶数フィールド時の映像を表す図である。ここで、点線が立体映像時に表示されている映像を表しており、実線が右目用映像であり被写体の右側面が表示される。偶数フィールドでは、右目用映像が表示され、第１のＬＥＤが点灯し、第２のＬＥＤはオフしている。ＬＣＤパネル１０９に向かって右側に配置されている第１のＬＥＤが点灯すると、出射光強度のピークが左目方向に傾いた指向性を持つことになる。つまり、右目用の映像が左目に振り分けられることになる。
【００１６】
図１５は、対面状態と反転収納状態のバックライトの時分割方式の発光素子の点灯と奇数フィールド時の映像を表す図である。ここで、点線が立体映像時に表示されている映像を表しており、実線が左目用映像であり被写体の左側面が表示される。奇数フィールドでは、左目用映像が表示され、第１のＬＥＤがオフし、第２のＬＥＤは点灯している。ＬＣＤパネル１０９に向かって左側に配置されている第２のＬＥＤが点灯すると、出射光強度のピークが右目方向に傾いた指向性を持つことになる。つまり、左目用の映像が右目に振り分けられることになる。
【００１７】
このように、対面状態と反転収納状態では、右目用映像の時にバックライトの光が左目に振り分けられ、左目用映像の時にバックライトの光が右目に振り分けられてしまう。被写体に対して立体映像を視認するためには、右眼用映像は右目に振り分け、左眼用映像に左目に振り分ける必要がある。このため、上記のままでは表示映像の視差情報と、実際に立体視するための視差情報の整合性が取れなくなり、好適な立体映像の視認が困難になるという問題がある。
【００１８】
そこで、本発明の目的は、表示装置の姿勢によらず、立体映像を表示できる立体映像表示システムを提供することにある。
【課題を解決するための手段】
【００１９】
上記目的を達成するために、本発明は、装置本体と、第１の視差を有した第１の映像と第２の視差を有した第２の映像とを時分割的に交互に表示する表示手段と、前記表示手段の法線から所定の方向側へ第１の所定の角度傾いた第１の方向に出射光強度のピークが存在する第１の発光素子の点灯による第１の照明光と、前記表示手段の法線から前記所定の方向側とは異なる側へ第２の所定の角度傾いた第２の方向に出射光強度のピークが存在する第２の発光素子の点灯による第２の照明光とを、前記交互に表示される第１の視差を有した第１の映像と第２の視差を有した第２の映像との表示切替えタイミングに同期させて時分割的に交互に前記表示手段に向けて出射する面光源と、前記装置本体に対する前記表示手段の姿勢を判断する表示部姿勢判断手段と、前記第１の発光素子と前記第２の発光素子を点灯させる発光素子点灯手段と、前記第１の発光素子と前記第２の発光素子の点灯を切替える点灯切替手段を備え、前記第１の視差を有した第１の映像が表示されている時は、前記第１の発光素子が点灯し、前記第２の視差を有した第２の映像が表示されている時は、前記第２の発光素子が点灯する前記立体映像表示システムにおいて、前記表示部姿勢判断手段により、判断された姿勢に応じて、前記点灯切替手段によって、前記第１の視差を有した第１の映像が表示されている時は、前記第２の発光素子が点灯し、前記第２の視差を有した第２の映像が表示されている時は、前記第１の発光素子が点灯するように切替えることを特徴とする。
【発明の効果】
【００２０】
本発明によれば、表示装置の姿勢に応じて、第１の発光素子と第２の発光素子の点灯タイミングを反転させるため、表示装置の姿勢がいかなる場合も、立体映像を表示することができる。
【図面の簡単な説明】
【００２１】
【図１】第１の実施例における撮像装置の構成を示すブロック図である。
【図２】撮像装置の外観斜視図である。
【図３】撮像装置の外観斜視図である。
【図４】第１の実施例における第１の発光素子と第２の発光素子の点灯制御手順を示すフローチャートである。
【図５】第１の実施例における対面状態と反転収納状態のバックライトの時分割方式の発光素子の点灯と偶数フィールド時の映像を表す図である。
【図６】第１の実施例における対面状態と反転収納状態のバックライトの時分割方式の発光素子の点灯と奇数フィールド時の映像を表す図である。
【図７】第３の実施例における対面状態と反転収納状態のバックライトの時分割方式のバックライトの発光素子の点灯タイミングと映像表示を表した図である。
【図８】第２の実施例における撮像装置の構成を示すブロック図である。
【図９】第２の実施例における第１の発光素子と第２の発光素子の点灯制御手順を示すフローチャートである。
【図１０】バックライトの時分割方式ＬＣＤの側面図である。
【図１１】正転状態のバックライトの時分割方式の発光素子の点灯と偶数フィールド時の映像を表す図である。
【図１２】正転状態のバックライトの時分割方式の発光素子の点灯と奇数フィールド時の映像を表す図である
【図１３】正転状態のバックライトの時分割方式のバックライトの発光素子の点灯タイミングと映像表示を表した図である。
【図１４】対面状態と反転収納状態のバックライトの時分割方式の発光素子の点灯と偶数フィールド時の映像を表す図である。
【図１５】対面状態と反転収納状態のバックライトの時分割方式の発光素子の点灯と奇数フィールド時の映像を表す図である。
【図１６】対面ミラー状態のバックライトの時分割方式の発光素子の点灯と偶数フィールド時の映像を表す図である。
【図１７】対面ミラー状態のバックライトの時分割方式の発光素子の点灯と奇数フィールド時の映像を表す図である。
【発明を実施するための形態】
【００２２】
以下に、本発明の好ましい実施の形態を、添付の図面に基づいて詳細に説明する。
【００２３】
＜第１の実施形態＞
本発明の第１の実施の形態における撮像装置の構成について説明する。図２及び図３は、本発明の第１の実施の形態に係る撮像装置の外観斜視図である。図２において、２０１は、レンズ２０２やＣＣＤ（図示せず）などの撮像手段を内蔵し映像音声信号の記録再生が可能な機器本体であるビデオカメラ本体である。レンズ２０２は、立体映像を撮影するためのレンズ部であり、２０２Ｒが通常モード時の右目用映像を撮影する第１のレンズ、２０２Ｌが左目用映像を撮影する第２のレンズである。本実施例ではビデオカメラとしたが映像信号の記録再生が可能なものであればデジタルスチルカメラなどであってもよい。
【００２４】
１０９はビデオカメラ本体２０１に対して回動自在に設けられ再生映像や撮像映像を表示可能な表示手段であるＬＣＤパネルで、ＬＣＤパネル１０９の後部にはＬＣＤバックライト３０２を備えたバックライト方式のＬＣＤパネルとなる。３０３はＬＣＤパネル１０９をビデオカメラ本体２０１に対して回動自在に保持するヒンジ部で、ＬＣＤパネル１０９を矢印Ａ方向に開閉自在であるとともに、矢印Ｂ方向に回転自在となっている。
【００２５】
図１は請求項１及び請求項２の発明の実施の形態における撮像装置の構成を示すブロック図である。１０８は制御マイコン１０１からの制御により別途入力される映像信号をＬＣＤパネル１０９に表示させるよう制御するＬＣＤドライブ回路である。ＬＣＤパネル１０９への映像表示のＯＮ／ＯＦＦを制御マイコン１０１により制御している。
【００２６】
また、制御マイコン１０１から電源回路１０４に制御信号が入力され、この電源回路１０４の電圧をアップすることにより、ＬＣＤバックライト３０２の照度を上げることがきる。ＬＣＤパネル１０９の後部にはＬＣＤバックライト３０２を備えたバックライト方式のＬＣＤパネルであり、[背景技術]で記載したバックライトの時分割方式の立体映像表示システムである。ＬＣＤバックライト３０２は、第１のＬＥＤ１０６と第２のＬＥＤ１０７を備える。
【００２７】
ＬＥＤ切替スイッチ１０５は、第１のＬＥＤのみ点灯、もしくは、第２のＬＥＤのみ点灯、もしくはを第１のＬＥＤと第２のＬＥＤを同時に点灯することを切替える。開閉検出スイッチ１０２は、ＬＣＤパネル１０９を図３の矢印Ａ方向に開閉したことを検出し、回転検出スイッチ１０３は、矢印Ｂ方向に回転したことを検出する。
【００２８】
以上のように構成された撮像装置の動作について説明する。まず、図２及び図３においてビデオカメラ本体２０１は、レンズ２０２を介して入射される被写体の光信号を、内蔵されたＣＣＤにより電気信号に変換して映像信号を得る。映像信号は信号処理回路で各種信号処理が施され、ＬＣＤパネル１０９に表示される。
【００２９】
一方で録画ボタン３０１を押すことで、内部に装填された記録媒体に映像信号及び音声信号を記録される。静止画像データ、動画像データ等のデータを格納する、記録媒体は、ハードディスク、固体磁気ディスクメモリ、光磁気ディスクメモリ、光ディスクメモリ等のディスクメディアでも構わないし、ＳＤＲＡＭ、ＤＲＡＭ等の固体半導体メモリで構成されるランダムアクセスが可能な種々の媒体を用いることができる。
【００３０】
ビデオカメラ本体２０１には撮影中の映像や再生した映像を表示するためのＬＣＤパネル１０９が設けられており、このＬＣＤパネル１０９はヒンジ部３０３によって、矢印Ａ方向に開閉自在及び矢印Ｂ方向に回転自在に配されている。ＬＣＤパネル１０９は、撮影者側に向いた通常撮影状態と、被写体側つまりレンズ２０２と同方向を向いた対面撮影状態とに回転自在となっている。
【００３１】
図３の状態の正転状態から矢印Ａ方向にＬＣＤパネル１０９を閉じた状態である正転収納状態では、ＬＣＤパネル１０９の表示はオフされる。図３の状態から矢印Ｂ方向で、レンズ２０２と同方向にＬＣＤパネル１０９を回転した状態である対面状態では、ＬＣＤパネル１０９の表示は、正転状態から上下左右反転する。対面状態から矢印Ａ方向にＬＣＤパネル１０９を閉じた状態である反転収納状態でもＬＣＤパネル１０９の表示は、正転状態から上下左右反転している。また、対面状態において鏡像表示をする対面ミラー状態では、ＬＣＤパネル１０９の表示は、正転状態から上下反転している。
【００３２】
次に、本発明の第１の実施例における、ＬＣＤバックライト３０２の第１のＬＥＤ１０６と第２のＬＥＤ１０７の点灯制御方法について説明する。図４は請求項１及び請求項２の発明の実施例における、ＬＣＤバックライト３０２の第１のＬＥＤ１０６と第２のＬＥＤ１０７の点灯制御手順を示すフローチャートである。
【００３３】
本処理は、制御マイコン１０１によって実行される。図４において、電源が投入されると、開閉検出スイッチ１０２と回転検出スイッチ１０３によって、ＬＣＤパネル１０９の姿勢を検出する（Ｓ４０１）。開閉検出スイッチ１０２が開状態、回転検出スイッチ１０３が回転状態を検出した対面状態の場合、もしくは、開閉検出スイッチ１０２が閉状態、回転検出スイッチ１０３が回転状態を検出した反転収納状態の場合（Ｓ４０３）、ＬＥＤ切替スイッチ１０５によって、第１のＬＥＤ１０６と第２のＬＥＤ１０７の点灯タイミングを反転させる（Ｓ４０４）。
【００３４】
図５は、対面状態と反転収納状態のバックライトの時分割方式の発光素子の点灯と偶数フィールド時の映像を表す図である。ここで、点線が立体映像時に表示されている映像を表しており、実線が右目用映像であり被写体の右側面が表示される。偶数フィールドでは、レンズ部２０２の第１のレンズ２０２Ｒによって撮影された右目用映像が表示され、第１のＬＥＤがオフし、第２のＬＥＤは点灯している。ＬＣＤパネル１０９に向かって左側に配置されている第２のＬＥＤが点灯すると、出射光強度のピークが右目方向に傾いた指向性を持つことになる。つまり、右目用の映像が右目に振り分けられることになる。
【００３５】
図６は、対面状態と反転収納状態のバックライトの時分割方式の発光素子の点灯と奇数フィールド時の映像を表す図である。ここで、点線が立体映像時に表示されている映像を表しており、実線が左目用映像であり被写体の左側面が表示される。奇数フィールドでは、レンズ部２０２の第２のレンズ２０２Ｌによって撮影された左目用映像が表示され、第１のＬＥＤが点灯し、第２のＬＥＤはオフしている。ＬＣＤパネル１０９に向かって右側に配置されている第１のＬＥＤが点灯すると、出射光強度のピークが左目方向に傾いた指向性を持つことになる。つまり、左目用の映像が左目に振り分けられることになる。
【００３６】
図７は、対面状態と反転収納状態のバックライトの時分割方式のバックライトの発光素子（ＬＥＤ）の点灯タイミングと映像表示を表した図である。ここで、１フレーム目の偶数フィールドの映像は右目用であり、奇数フィールドの映像は左目用である。数字の右上に“ダッシュ（’）”が記載されているものが左目用の映像である。偶数フィールド時には、映像は右目用が表示され、第２のＬＥＤが点灯し、奇数フィールド時には、映像は左目用が表示され、第１のＬＥＤが点灯している。従って、正転状態から、第１のＬＥＤ１０６と第２のＬＥＤ１０７の点灯タイミングを反転させることで、対面状態及び反転収納状態でも立体映像の表示が可能となる。
【００３７】
以上の処理を行った後、撮影あるいは再生が継続されているかどうかの判定を行い（Ｓ４０５）、電源が切断されて制御が終了するまで、ステップＳ４０１の処理を繰り返す。電源が切断されると、本処理を終了する。
【００３８】
また、ステップＳ４０１で開閉検出スイッチ１０２が開状態、回転検出スイッチ１０３が回転状態を検出しない正転状態の場合、もしくは、開閉検出スイッチ１０２が閉状態、回転検出スイッチ１０３が回転状態を検出しない正転収納状態の場合（Ｓ４０２）は、正転状態では、通常位置のままであるので、第１のＬＥＤ１０６と第２のＬＥＤ１０７の点灯タイミングは維持したままとなる。正転収納状態ではＬＣＤパネル１０９には出画されない。
【００３９】
図１１〜図１２は、正転状態のバックライトの時分割方式のバックライトの発光素子（ＬＥＤ）の点灯タイミングと映像表示を表した図であり、[背景技術]で説明したため、ここでは省略する。正転状態では、通常時のままであり、第１のＬＥＤ１０６と第２のＬＥＤ１０７の点灯タイミングを維持し立体映像の表示が可能となる。そして、ステップＳ４０５で、撮影あるいは再生が継続されているかどうかの判定を行い、電源が切断されて制御が終了するまで、ステップＳ４０１の処理を繰り返す。電源が切断されると、本処理を終了する。
【００４０】
このように、第１の実施例におけるビデオカメラによれば、対面状態及び反転収納状態のときには、第１のＬＥＤ１０６と第２のＬＥＤ１０７の点灯タイミングを反転させるため、対面状態や反転収納状態でも観察者は立体映像を観察することができる。
【００４１】
＜第２の実施形態＞
次に、本発明の第２の実施例における、ＬＣＤバックライト２０５の第１のＬＥＤ１０６と第２のＬＥＤ１０７の点灯制御方法について説明する。
【００４２】
第２の実施例の撮像装置の構成は、前記第１の実施例とほぼ同一であるので、同一の構成要素については同一の符号を用いることでその説明を省略し、ここでは異なる構成について説明する。
【００４３】
図８は請求項３の発明の実施例における撮像装置の構成を示すブロック図であり、第１の実施例において、ミラーモード選択手段８０１を追加し、ＬＣＤパネル１０９に鏡像表示（ミラーモード）をすることを可能にしたものである。
【００４４】
図９は請求項２の発明の実施例における、ＬＣＤバックライト３０２の第１のＬＥＤ１０６と第２のＬＥＤ１０７の点灯制御手順を示すフローチャートである。
【００４５】
本処理は、制御マイコン１０１によって実行される。図９において、電源が投入されると、開閉検出スイッチ１０２と回転検出スイッチ１０３によって、ＬＣＤパネル２０９の姿勢を検出する（Ｓ９０１）。開閉検出スイッチ１０２が開状態、回転検出スイッチ１０３が回転状態を検出した対面状態の場合、ステップＳ９０５で、ミラーモード選択手段８０１によって、ミラーモードが選択されているか否かを判定する。ミラーモードでない場合は、ＬＥＤ切替スイッチ１０５によって、第１のＬＥＤ１０６と第２のＬＥＤ１０７の点灯タイミングを反転させる（Ｓ９０６）。
【００４６】
ここでミラーモードでない対面状態とは、再生モードも含まれる。また、開閉検出スイッチ１０２が閉状態、回転検出スイッチ１０３が回転状態を検出した反転収納状態の場合は（Ｓ８０３）、ステップＳ８０６で、ＬＥＤ切替スイッチ１０５によって、第１のＬＥＤ１０６と第２のＬＥＤ１０７の点灯タイミングを反転させる。この時のバックライトの時分割方式の発光素子の点灯と映像を表す図は、図５〜図７であり、第１の実施例で説明したので、ここでは省略する。
【００４７】
従って、正転状態から、第１のＬＥＤ１０６と第２のＬＥＤ１０７の点灯タイミングを反転させることで、対面状態と反転収納状態でも立体映像の表示が可能となる。
【００４８】
以上の処理を行った後、撮影あるいは再生が継続されているかどうかの判定を行い（Ｓ９０７）、電源が切断されて制御が終了するまで、ステップＳ９０１の処理を繰り返す。電源が切断されると、本処理を終了する。
【００４９】
また、ステップＳ９０５で、ミラーモードであると判定された場合は、撮影あるいは再生が継続されているかどうかの判定を行い（Ｓ９０７）、電源が切断されて制御が終了するまで、ステップＳ９０１の処理を繰り返す。電源が切断されると、本処理を終了する。
【００５０】
図１６は、対面ミラー状態のバックライトの時分割方式の発光素子の点灯と偶数フィールド時の映像を表す図である。ここで、点線が立体映像時に表示されている映像を表しており、実線が右目用映像でる。偶数フィールドでは、レンズ部２０２の第１のレンズ２０２Ｒによって撮影された右目用映像が表示され、第１のＬＥＤが点灯し、第２のＬＥＤはオフしている。撮影された偶数フィールドの映像は右目用映像であるが、対面ミラー状態では、ＬＣＤパネル１０９の表示は鏡像映像であるため、観察者にとっては、被写体の左側面が表示された映像を見ることになる。そして、ＬＣＤパネル１０９に向かって右側に配置されている第１のＬＥＤが点灯すると、出射光強度のピークが左目方向に傾いた指向性を持つことになる。つまり、右目用の映像の鏡像映像が左目に振り分けられることになる。
【００５１】
図１７は、対面ミラー状態のバックライトの時分割方式の発光素子の点灯と奇数フィールド時の映像を表す図である。ここで、点線が立体映像時に表示されている映像を表しており、実線が左目用映像である。奇数フィールドでは、レンズ部２０２の第２のレンズ２０２Ｌによって撮影された左目用映像が表示され、第１のＬＥＤがオフし、第２のＬＥＤは点灯している。撮影された奇数フィールドの映像は左目用映像であるが、対面ミラー状態では、ＬＣＤパネル１０９の表示は鏡像映像であるため、観察者にとっては、被写体の右側面が表示された映像を見ることになる。そして、ＬＣＤパネル１０９に向かって左側に配置されている第２のＬＥＤが点灯すると、出射光強度のピークが右目方向に傾いた指向性を持つことになる。つまり、左目用の映像の鏡像映像が右目に振り分けられることになる。
【００５２】
この対面ミラー状態のバックライトの時分割方式の映像表示とバックライトの発光素子（ＬＥＤ）の点灯タイミングを表した図が図１３である。ここで、１フレーム目の偶数フィールドの映像は右目用であり、奇数フィールドの映像は左目用である。数字の右上に“ダッシュ（’）”が記載されているものが左目用の映像である。右目用、左目用ともに鏡像映像となっている。偶数フィールド時には、映像は右目用の鏡像映像が表示され、第１のＬＥＤが点灯し、奇数フィールド時には、映像は左目用の鏡像映像が表示され、第２のＬＥＤが点灯している。
【００５３】
つまり、被写体の右側面が表示された映像が右目に、被写体の左側面が表示された映像が左目に振り分けられるので、正転状態から、第１のＬＥＤ１０６と第２のＬＥＤ１０７の点灯タイミングを維持したままでも立体映像の表示が可能である。
【００５４】
また、ステップＳ９０１で開閉検出スイッチ１０２が開状態、回転検出スイッチ１０３が回転状態を検出しない正転状態の場合、もしくは、開閉検出スイッチ１０２が閉状態、回転検出スイッチ１０３が回転状態を検出しない正転収納状態の場合（Ｓ９０２）は、正転状態では、通常位置のままであるので、第１のＬＥＤ１０６と第２のＬＥＤ１０７の点灯タイミングは維持したままとなる。正転収納状態ではＬＣＤパネル１０９には出画されない。
【００５５】
図１０〜図１２は、正転状態を表す図であり、[背景技術]で説明したため、ここでは省略する。正転状態では、通常時のままであり、第１のＬＥＤ１０６と第２のＬＥＤ１０７の点灯タイミングを維持し立体映像の表示が可能となる。
【００５６】
ステップＳ９０７で、撮影あるいは再生が継続されているかどうかの判定を行い（Ｓ９０７）、電源が切断されて制御が終了するまで、ステップＳ９０１の処理を繰り返す。電源が切断されると、本処理を終了する。
【００５７】
このように、第２の実施例におけるビデオカメラによれば、ミラーモードでない対面状態及び反転収納状態のときには、第１のＬＥＤ１０６と第２のＬＥＤ１０７の点灯タイミングを反転させるため、対面状態や反転収納状態でも観察者は立体映像を観察することができる。
【００５８】
また、上記実施例１〜２では発光素子をＬＥＤとしたが、冷陰極管であっても良い。
【００５９】
また、上記実施例１〜２では右目用の映像と左目用の映像を偶数フィールドと奇数フィールドで時分割表示としたが、駆動周波数はこれらに特定されるものではなく、適宜変更可能である。
【００６０】
また、上記実施例１、２では第１の発光素子と第２の発光素子の点灯タイミングを制御したが、対面状態と反転収納状態で、第１の発光素子と第２の発光素子の点灯タイミングはそのままとし、右目用の映像と左目用の映像を入れ替えても良い。
【００６１】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００６２】
（他の実施形態）
上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行することでも本発明は実現可能である。この場合、そのプログラム、及び該プログラムを記憶した記憶媒体は本発明を構成することになる。
【符号の説明】
【００６３】
１０１  制御マイコン、１０２  開閉検出スイッチ、１０３  回転検出スイッチ、
１０４  ＬＥＤ切替スイッチ、１０６  ＬＣＤバックライト第１ＬＥＤ、
１０７  ＬＣＤバックライト第２ＬＥＤ、１０９  ＬＣＤパネル
【図１】
2016018171.tif 000003
【図２】
2016018171.tif 000004
【図３】
2016018171.tif 000005
【図４】
2016018171.tif 000006
【図５】
2016018171.tif 000007
【図６】
2016018171.tif 000008
【図７】
2016018171.tif 000009
【図８】
2016018171.tif 000010
【図９】
2016018171.tif 000011
【図１０】
2016018171.tif 000012
【図１１】
2016018171.tif 000013
【図１２】
2016018171.tif 000014
【図１３】
2016018171.tif 000015
【図１４】
2016018171.tif 000016
【図１５】
2016018171.tif 000017
【図１６】
2016018171.tif 000018
【図１７】
2016018171.tif 000019